(57)【要約】【課題】  軸筒内の複数のリフィールを選択して筆記先端部を出没可能にした出没式複合筆記具において、リフィールと軸筒内周や、リフィール同士の衝突による損傷、衝突音の発生を防止する技術を提供すること。【解決手段】  軸筒内に複数のリフィールを備えて、その筆記先端部を出没可能にした出没式複合筆記具において、軸筒内に略筒状のガイド部材５０を備え、該ガイド部材には各リフィールの後部が挿通される挿通孔５２ａ・５２ｂを有すると共に、挿通孔の前方にあって、ガイド部材の内周面から内方に向けて突設された凸部５５ｂが、少なくともいずれかのリフィール後部の側面をガイドする。【選択図】  図３
2008126594.tif 000002
【特許請求の範囲】
【請求項１】
軸筒内に複数のリフィールを備え、軸筒前端に取り付けた先口から選択されたリフィールの筆記先端部を出没可能にした出没式複合筆記具において、
軸筒内に、軸筒と一体に、又は別体に構成される略筒状のガイド部材を備え、
該ガイド部材に各リフィール又は該リフィールと連結して一体動作する連結部材（以下、総称してリフィールと呼ぶ。）の後部が挿通される挿通孔を有すると共に、
該挿通孔の前方にあって、ガイド部材の内周面から内方に向けて突設された凸部が、少なくともいずれかのリフィール後部の側面をガイドするようにした
ことを特徴とする出没式複合筆記具。
【請求項２】
前記出没式複合筆記具において、
前記少なくともいずれかのリフィールについて、当該リフィールの側面を異なる２方向からガイドする１対の前記凸部を備えた
ことを特徴とする請求項１に記載の出没式複合筆記具。
【請求項３】
前記凸部が軸方向を長手方向として立設された板状であって、該凸部の先端近傍部位が前記リフィールの側面と当接可能にガイドする
ことを特徴とする請求項１又は２に記載の出没式複合筆記具。
【発明の詳細な説明】
【技術分野】
【０００１】
本発明は、先口からリフィールの筆記先端部を出没可能にした出没式複合筆記具に関し、より詳しくはリフィールをガイドする技術に関する。
【背景技術】
【０００２】
スライドする押子やノック機構によって、軸筒内に備えられたリフィールの筆記先端部を筆記具前端の先口から出没させる構成が周知である。
例えば、本件出願人による特許文献１のように、複数色のリフィールを、軸筒後端近傍の押子のスライド操作により切り替えて出没させる出没式多色筆記具（複合筆記具）や、特許文献２のように、押子の他にノック部を設けてシャープペン用リフィールの芯の繰り出し操作を行えるようにした筆記具がある。
【０００３】
このようにリフィールの筆記先端部が出没する構成では、リフィールを突出させる際にリフィールと先口内周面とが衝突したり、リフィールが軸筒内に格納された状態で先口内周面や軸筒内周面と接触することがある。
これにより衝突や接触による不快音が生じる問題や、筆記先端部に傷がついて美観を損ねたり動作不良の原因になる問題があった。
【０００４】
関連する技術として、特許文献３に開示される技術では、軸筒先端から筆記体の筆記部分を出没させる複合筆記具において、軸筒の少なくとも前方部を金属で形成すると共に、この金属部軸筒内面に樹脂層を形成することを提案している。
本技術の効果として、筆記具を誤って地面等に落としても、ボールペンのペン先の潰れを防止できるのでインキ洩れ発生がないことが挙げられている。
【０００５】
このように金属部軸筒内面に樹脂層を形成すれば、ボールペンのペン先の損傷は防ぐことができることから、上述した動作不良の原因を除去する技術と言うことができる。
一方、出没式複合筆記具ではリフィールが前後に摺動するために軸筒内で比較的余裕をもって配置されており、リフィールが振動することで軸筒内周や他のリフィールと接触する際の接触音が生じる問題もある。
特に高付加価値を有する筆記具ではこのような接触音を防止することが求められているが、有効な方法は提案されていない。
【０００６】
例えば、特許文献４には筆記先端部の振れを防止する技術として先端部位置にＯリングを設ける構成が開示されているが、先端部の振れ防止には寄与しても、出没式複合筆記具において没入したリフィールが振動する際の音の防止を実現するものではない。
【０００７】
また、特許文献５には、出没式筆記具の軸筒の先端部に、リフィール前部をガイド可能な横断面異形の内孔を形成する技術が開示されている。また、特許文献６には、リフィールが貫通する軸先端口の奥部の内面における周方向の複数箇所に、その内接径がリフィールの外径より僅かに大きくなるリフィール支持凸部を設ける構成が開示されている。
【０００８】
前者はリフィールの前端を支持することでがたつきを防ぎ、筆記しにくい問題を解決する技術であり、後者は、軸筒の射出成形時のゲートマークを目立ちにくくしながら、リフィールの出没をスムーズにガイドする技術である。
以上のいずれの技術についても、単一のリフィールのみ備えた筆記具において、筆記先端部の振れを防止する技術であるが、出没式複合筆記具のリフィールの後部においてリフィール同士が衝突したり、リフィールと軸筒内周が衝突することによる損傷や衝突音の防止を図ることはできない。
【０００９】
【特許文献１】特許第3168200号公報
【特許文献２】特開2003-39888号公報
【特許文献３】特開2001-63283号公報
【特許文献４】実開平5-85683号公報
【特許文献５】特開2002-36784号公報
【特許文献６】特開平10-236067号公報
【発明の開示】
【発明が解決しようとする課題】
【００１０】
本発明は、上記従来技術の有する問題点に鑑みて創出されたものであり、軸筒内の複数のリフィールを選択して筆記先端部を出没可能にした出没式複合筆記具において、リフィールと軸筒内周や、リフィール同士の衝突による損傷、衝突音の発生を防止する技術を提供することを目的とする。
【課題を解決するための手段】
【００１１】
上記課題を解決するため、本発明は次のような手段を用いる。
すなわち請求項１に記載の発明は、軸筒内に複数のリフィールを備え、軸筒前端に取り付けた先口から選択されたリフィールの筆記先端部を出没可能にした出没式複合筆記具において、軸筒内に、軸筒と一体に、又は別体に構成される略筒状のガイド部材を備え、該ガイド部材に各リフィール又は該リフィールと連結して一体動作する連結部材（以下、総称してリフィールと呼ぶ。）の後部が挿通される挿通孔を有すると共に、該挿通孔の前方にあって、ガイド部材の内周面から内方に向けて突設された凸部が、少なくともいずれかのリフィール後部の側面をガイドするようにしたことを特徴とする。
【００１２】
請求項２に記載の発明は、上記の出没式複合筆記具において、前記少なくともいずれかのリフィールについて、当該リフィールの側面を異なる２方向からガイドする１対の前記凸部を備えたことを特徴とする。
【００１３】
請求項３に記載の発明は、前記凸部が軸方向を長手方向として立設された板状であって、該凸部の先端近傍部位が前記リフィールの側面と当接可能にガイドすることを特徴とする。
【発明の効果】
【００１４】
本発明は、以上説明したように構成されているので、次のような作用効果を奏する。
請求項１に記載の発明によれば、リフィールの後部を凸部がガイドするので、各リフィールが突出する際に筆記先端部が軸心に寄ってもその動きを阻害することなくリフィールを支えることができる。
これにより、リフィールが振動して、リフィールと軸筒内周や、リフィール同士の衝突が抑制され、損傷、衝突音の発生を防止することができる。
また、ガイド部材から内側に向けて凸部を突設するので、容易に形成することができ、部品点数を抑制しながら製造が容易に可能であり、製造コストの抑制にも寄与する。
【００１５】
請求項２に記載の発明によれば、２方向からリフィールを狭持することができるので、リフィールの振動を効果的にガイドすることができる。
【００１６】
請求項３に記載の発明によれば、凸部を板状で構成して、その先端近傍でリフィール側面と当接可能にしたことにより、凸部とリフィールとの摩擦を減らし、滑らかなリフィールの摺動に寄与する。
【発明を実施するための最良の形態】
【００１７】
以下、本発明の実施の形態を図面に基づいて説明する。
図１には本発明に係る出没式複合筆記具１（以下、単に筆記具と呼ぶ。）の平面断面図、図２には同、正面図を示す。本実施例に係る筆記具１は、前端（筆記部側）から順に先口１０、前部軸筒１１、後部軸筒１２、後部キャップ１３が組み立てられて１本の筆記具を構成すると共に、先口１０の先端からは内装された複数のリフィール２０・３０が選択的に出没するようになっている。
また、後部軸筒１２にはクリップ１４が付設されている。
【００１８】
本実施例では、リフィールとしてシャープペンシル用リフィール２０と、ボールペン用リフィール３０・４０（図１・２上では図示されない）とをそれぞれ備えている。ボールペン用リフィール３０・４０は色の異なる２色のリフィールである。なお、ボールペン用リフィール３０・４０は同一の構成であるから、以下ではボールペン用リフィール３０についてのみ説述する。
また、本発明の実施において、２本ないし５本程度のリフィールを軸筒内に内装することができる。
【００１９】
シャープペンシル用リフィール２０は、筆記先端部である芯挿通管２１からシャープペンシルの芯２２が繰出し機構２３により繰り出される。
繰出し機構２３は、芯タンク２４の前端に設けられたチャック（図示せず）、該チャックの外周で軸方向へスライドするチャックリング（図示せず）、チャックおよび芯タンク２４を後方へ付勢するスプリング（図示せず）等を具備する。
そして、後部キャップ１３を前方に押すことによって、後部軸筒１２が前部軸筒に対して摺動するのに伴い、チャックを進退させて、芯２２を前方へ繰り出す。
【００２０】
また、ボールペン用リフィール３０は、筆記先端部であるチップ３１の先端に転写ボール３２を回動自在に保持し、該転写ボール３２が紙上で回転することによってインク収容管３３内に充填された油性又は水性インクが紙に転写される。
本願では各リフィールの構成は上記に限らず任意に公知技術を用いることができ、マーカー用リフィールなど他のリフィールを備えてもよい。
【００２１】
シャープペンシル用リフィール２０の後端には該リフィールを出没させる際に係合部となるシャープペンシル用スライド駒２５を備え、同様にボールペン用リフィール３０の後端にもボールペン用スライド駒３４を備えている。
そして、後部軸筒１２を前部軸筒１１に対して回動させることによって、内部の回転カム１５がシャープペンシル用スライド駒２５やボールペン用スライド駒３４と係合し、それぞれ前方に突出させたり、後方に没入させるように構成している。
【００２２】
このような回転繰り出し式筆記具についても公知であり、例えば特許文献７のような構成が本件出願人により提案されている。
また、上記特許文献２のような筆記具後部に設けた押子を前後にスライドさせることにより複数のリフィールのいずれかを選択して出没させると共に、シャープペンシル用リフィールの芯繰り出し動作を軸筒後端のノック操作によって容易に行うことのできる構成においても本発明は適用することができる。
【００２３】
【特許文献７】特開2001-71679号公報
【００２４】
出没式複合筆記具１において、前部軸筒１１・後部軸筒１２の内部に着脱可能なガイド部材５０が配設されており、各リフィールが摺動する際にその動きをガイドする。該ガイド部材５０は、図３に断面図、図４に斜視図を示すように、前部に前端が開放している管状部５１、略中央に各リフィールが挿通する孔が設けられた挿通孔部５２、後部にスライド駒２５・３４が摺動するスライド駒摺動部５３、後端に後部軸筒１２内の内装部材と嵌合する嵌合部５４を有している。
【００２５】
ガイド部材５０の図３中、Ａ〜Ｄの各部位における断面図を図５（Ａ）〜（Ｄ）にそれぞれ示す。図３ではリフィールを図示省略しており、図５ではリフィールを図示している。
先に図６を用いてリフィールの構成について説述すると、本実施例におけるボールペン用リフィール３０は、シャープペンシル用リフィール２０よりも全長が短く、その後部には連結部材３５が連設されている。連結部材３５の前端は凹型をなし、そこにリフィール３０が嵌入する。連結部材３５の後端がスライド駒３４と連結される。
【００２６】
このように、リフィール３０には、長さを調節するため、又はリフィール交換時に脱着を容易にするため、連結部材３５を用いることができるが、本発明ではこの連結部材までを含んでリフィールと呼ぶ。
【００２７】
そして、ガイド部材５０の管状部５１は内周が略三角形状の断面であり、該三角形の各頂点にリフィールが位置することで、リフィール２０・３０・４０が該頂点に沿って摺動するため、安定した動作を可能である。（図５（A）参照）
【００２８】
挿通孔部５２の直前方で、上記三角形の頂点の両側には、本発明にかかるリブ部５５ａ〜５５ｄが設けられている。
該リブ部５５ａ〜５５ｄは細い板状の突起がガイド部材５０の内周面から内方に向けて突設されており、図３のように挿通孔部５２近傍部位にのみ配設されている。（図５（Ｂ）参照）
【００２９】
挿通孔部５２は図５（Ｃ）のような断面形状を成しており、挿通孔である各孔部５２ａ〜５２ｃにはリフィールが挿通するため、該部位における各リフィールはほとんど振動することなく安定して支持されている。
さらに後方に進んで、スライド駒摺動部５３においてはリフィールとスライド駒が摺動する溝部５３ａ〜５３ｃが設けられており、各スライド駒は該溝部と後部軸筒１２・回転カム１５の間で摺動する。（図５（Ｄ）参照）
【００３０】
ここで、リブ部５５ａ〜５５ｄの構造につき詳述すると、リブ部の先端は丸みをもたせてリフィールと円滑に摺動できるようにしてあるほか、その先端がリフィールの側面とごくわずかな間隔を空けて対峙しており、リフィールが振動した際にはこれをガイドしてリフィール同士やガイド部材内周と衝突するのを防止する。
【００３１】
また、各リフィールを両側から斜めにガイドしているため、リフィールが軸心方向には変移することが可能であり、出没時のリフィールの動きを制限することがない。
さらに本実施例では、後述するようにシャープペンシル用リフィールにはＯリング７０を設けてあり、該シャープペンシル用リフィールは、他のボールペン用リフィールや軸筒内周との衝撃を緩衝しうるように構成してある。このため、図５（Ｂ）に明らかな通り、シャープペンシル用リフィール２０の両側にはリブ部を設けていない。このような構成でもボールペン用リフィールを確実にガイドしているため各リフィールによる衝突音などを十分に抑制することができる。
【００３２】
リブ部は、各リフィールを効果的にガイドしうる一方で、長い距離にわたってリフィールと摺動するようにすると、摩擦が大きくなり、この摩擦による音の発生や、擦傷が生じる恐れがある。また、リフィールの交換時に、ガイドとなるリブ部が長すぎると、かえって交換がしにくい問題もある。
【００３３】
そこで本発明では、リブ部５５ａ〜５５ｄを、スライド駒３４が前進したときに連結部材３５の先端の凹型部分３５ａ（図６）がちょうどリブ部５５ａ〜５５ｄから離脱する位置まで配設している。図３の通り、リブ部５５ａ〜５５ｄの前端はテーパー状であり、円滑にリフィールが導かれるように形成している。
【００３４】
ここで、リブ部の全長としては、長くてもリフィールの後部半分がガイドされる程度が好ましく、より好ましくは本実施例のようにリフィール全長の後端から１／２０ないし１／３程度の範囲に設けることができる。
【００３５】
ところで、本発明において、リブ部としたのは、多くの樹脂を流し込んで成形すると変形が起こりやすくなるためである。本実施例のように板状のリブ部とすることで、変形しにくく、また樹脂量が少ないため、重量も抑制することができる。
もっとも、変形の起きにくい材料を用いる場合には、後述する実施例のようにリブ部としなくともよい。
【００３６】
次に、本発明の別実施例を説明する。
まず、図７はリフィールが２本の場合の構成例であり、図７（Ａ）はボールペン用リフィール３０・４０及び連結部材３５の組み合わせ、図７（Ｂ）はシャープペンシル用リフィール２０とボールペン用リフィール３０の組み合わせの場合を示している。
上記実施例では、リブ部を設ける構成を開示したが、本実施例のようにガイド部材５０の内周をリフィールを挟むように張り出させて凸部６０を形成し、リフィールが振動するのを防止してもよい。なお、本凸部も上記の通り、リフィールの後端部近傍のみについて設けるのが好ましい。
【００３７】
図７（Ｃ）ないし（Ｄ）はリブ部（６１）を各リフィール２０・３０・４０、連結部材３５の側面に向けて突設した構成であり、図７（Ｅ）はボールペン用リフィールのみガイドする実施例を示している。
このように、リフィールが２本の場合には、リブ部を平行に形成してもよい。
また、図７（Ｅ）のように、ボールペン用リフィール３０・連結部材３５についてのみリブ部６２を形成する構成でもよい。
【００３８】
図８（Ａ）及び（Ｂ）は３本のリフィールを用いる構成である。
図８（Ａ）では、リフィール間を山状に隆起させて各リフィール２０・３０・４０、連結部材３５をガイドするようにしている。
また、図８（Ｂ）は上記した実施例において、シャープペンシル用リフィール２０の両側にもリブ部６４を設けた構成を示している。後述するＯリング７０を設けない構成では、このようにシャープペンシル用リフィール２０についてリブ部６４を形成することも好適である。
【００３９】
図９（Ａ）ないし（Ｄ）は４本のリフィールを用いる構成である。
図９（Ａ）（Ｂ）では、リフィール間を山状に隆起させて各リフィール２０・３０・４０・４１・４２、連結部材３５をガイドするようにしている。
また、図９（Ｃ）（Ｄ）では、１つのリフィールの両側に設けたリブ部６６が、その反対側のリフィールをもガイドするようになっている。結果として、各リフィールの中間に軸心に向けて突設されたリブ部が４本形成されている。
【００４０】
以上のように、本発明ではリフィールの後部近傍をガイドする凸部を突設したことに特徴があり、本構成によれば出没式複合筆記具においてリフィールの筆記先端部の突出時に軸心方向に変位することを阻害せず、かつリフィールの振動に伴うリフィール同士の衝突や、軸筒内周との衝突を効果的に防止することができる。
【００４１】
ところで、本発明は、上記ガイド部材５０のように軸筒と別体に構成してもよいが、軸筒内に直接形成してもよい。例えば、軸筒内に樹脂をインサート成形して本発明に係る凸部を形成してもよい。
すなわち、本発明に係るガイド部材は軸筒と一体、別体を問わず出没式筆記具に備えることができる。
【００４２】
図１０に示すように、シャープペンシル用リフィール２０の外周に環状の凹部２６を穿設すると共に、該凹部２６にゴム製のＯリング７０を装着することもできる。Ｏリング７０の内径はシャープペンシル用リフィール２０の外径より小さいため、拡張した状態で凹部２６まで移動して嵌められ、嵌合後は収縮するので前後に移動することがない。
【００４３】
そして、凹部２６の形成位置は、シャープペンシル用リフィール２０が突出した状態で、ボールペン用リフィール３０のチップ３１前端位置に当たる部位であり、Ｏリング７０が該チップ３１と当接することによって、リフィール２０・３０同士が直接接触するのを防止している。
当該位置は、先口１０の孔部１０ａに最も近く、かつチップ３１の前端に当たるため、各リフィール２０・３０間の距離が最短となる位置である。この部位にＯリング７０が装着されることで、最も効果的に接触音を防止することができる。
【００４４】
また、シャープペンシル用リフィール２０の没入時には、芯挿通管２１は先口１０により支持されないことから前部軸筒１１内で振動しやすい状態となり、従来は前部軸筒との衝突によりチャックに把持された芯２２が折れたり、芯挿通管２１が損傷したりする場合があった。
上記のようにＯリング７０を装着することによって、前部軸筒１１内周面とはＯリング７０が緩衝するため、これらの不具合や、衝突音の防止に寄与する。
【００４５】
Ｏリング７０は、特に芯折れなどが生じやすいシャープペンシル用リフィール２０に装着することが望ましく、該リフィール２０に装着することで他のリフィール３０の衝撃緩和にも寄与する。
もっとも、他のリフィールに設けてもよく、全てのリフィールに装着することもできる。
【図面の簡単な説明】
【００４６】
【図１】本発明に係る出没式複合筆記具の平面断面図。
【図２】同、正面図。
【図３】本発明に係るガイド部材の断面図。
【図４】同、斜視図。
【図５】本発明実施例におけるガイド部材の断面図。
【図６】リフィールの構成を示す説明図。
【図７】リフィール２本の場合のガイド部材の断面図。
【図８】リフィール３本の場合のガイド部材の断面図。
【図９】リフィール４本の場合のガイド部材の断面図。
【図１０】本発明に係るＯリングを設けた構成の説明図。
【符号の説明】
【００４７】
２５  スライド駒
３４  スライド駒
５０  ガイド部材
５１  管状部
５２  挿通孔部
５２ａ  孔部
５２ｂ  孔部
５３  スライド駒摺動部
５４  嵌合部
５５ｂ  リブ部
【図１】
2008126594.tif 000003
【図２】
2008126594.tif 000004
【図３】
2008126594.tif 000005
【図４】
2008126594.tif 000006
【図５】
2008126594.tif 000007
【図６】
2008126594.tif 000008
【図７】
2008126594.tif 000009
【図８】
2008126594.tif 000010
【図９】
2008126594.tif 000011
【図１０】
2008126594.tif 000012